(57)【特許請求の範囲】
【請求項１】
標的分子を、標的分子と相互作用することができる固体支持体表面に固定する方法であって：
標的分子と、標的分子と解離可能な複合体を形成することができる小胞構造との複合体を形成する工程、
形成された複合体と、固体支持体表面とを接触させ、標的分子を固体支持体表面に結合させる工程、
複合体を解離する工程、および
固体支持体表面から小胞構造を除去し、固体支持体表面に固定された標的分子を切り離す工程、
を含み、標的分子と小胞構造とは、対立する電荷を有し、かつ標的分子と固体支持体表面とは、同種の電荷を有する、上記方法。
【請求項２】
小胞構造は、リポソームまたはミセルである、請求項１に記載の方法。
【請求項３】
標的分子は、負電荷を有する、請求項１または２に記載の方法。
【請求項４】
標的分子と固体支持体表面とはそれぞれ負電荷を有し、小胞構造は、正電荷を有する、請求項１〜３のいずれか一項に記載の方法。
【請求項５】
標的分子は、分析物を結合させることができるリガンドである、請求項１〜４のいずれか一項に記載の方法。
【請求項６】
標的分子は、リガンドまたはリガンド結合物質を結合させることができるキャプチャー物質である、請求項１〜４のいずれか一項に記載の方法。
【請求項７】
標的分子は、核酸または抗体である、請求項１〜６のいずれか一項に記載の方法。
【請求項８】
標的分子は、人工核酸である、請求項７に記載の方法。
【請求項９】
標的分子は、低分子量の有機化合物である、請求項１〜６のいずれか一項に記載の方法。
【請求項１０】
固体支持体表面は、標的分子の官能基と反応して共有結合を形成することができる反応性基を含む、請求項１〜９のいずれか一項に記載の方法。
【請求項１１】
固体支持体表面は、特定の結合対の一方の要素を含み、その結合対の他方の要素は、標的分子またはその一部と共役している、請求項１〜９のいずれか一項に記載の方法。
【請求項１２】
表面に結合した要素は、アビジンまたはストレプトアビジンであり、そして標的分子は、ビオチンタグを付されている、請求項１１に記載の方法。
【請求項１３】
固体支持体表面は、ヒドロゲルを含む、請求項１〜１２のいずれか一項に記載の方法。
【請求項１４】
ヒドロゲルはデキストランベースのヒドロゲルであり、デキストランは、カルボキシメチル基を含む、請求項１３に記載の方法。
【請求項１５】
カルボキシメチル基が、活性化されて反応性基になる、請求項１４に記載の方法。
【請求項１６】
ミセルまたはリポソームに対する標的分子の割合は、約１：１である、請求項１〜１５のいずれか一項に記載の方法。
【請求項１７】
小胞構造は、臭化セチルトリメチルアンモニウム（ＣＴＡＢ）を含むミセルである、請求項１〜１６のいずれか一項に記載の方法。
【請求項１８】
フローセルで行われる、請求項１〜１７のいずれか一項に記載の方法。
【請求項１９】
固体支持体は、センサー表面である、請求項１〜１８のいずれか一項に記載の方法。
【請求項２０】
センサー表面は、質量センシングによる、センサー表面における事象の検出が可能である、請求項１９に記載の方法。
【請求項２１】
固体支持体は、クロマトグラフィー用の粒子である、請求項１〜１８のいずれか一項に記載の方法。
【請求項２２】
請求項１〜２１のいずれか一項に記載の方法に従ってリガンドを結合させることができるキャプチャー物質を表面に固定すること、続いて、該表面と該リガンドとを接触させ、該リガンドを固定された該キャプチャー物質に結合させることを含む、固体支持体表面をリガンドでセンシタイズする方法。
【請求項２３】
キャプチャー物質はオリゴヌクレオチドであり、リガンドは、キャプチャーオリゴヌクレオチドに相補的なオリゴヌクレオチドと共役している、請求項２２に記載の方法。
【請求項２４】
一般的なキャプチャー物質を支持している固体支持体表面の異なる別々のエリアを、選択的に異なるリガンドと接触させ、異なるリガンドのアレイを固体支持体表面に提供する、請求項２２または２３に記載の方法。
【請求項２５】
異なるキャプチャー物質をそれぞれ支持している固体支持体表面の異なる別々のエリアを、異なるリガンドと接触させ、異なるリガンドのアレイを固体支持体表面に提供する、請求項２２または２３に記載の方法。
【請求項２６】
固体支持体表面は、センサー表面である、請求項２２〜２５のいずれか一項に記載の方法。
【請求項２７】
請求項２２〜２６のいずれか一項に記載の方法で製造された固体支持体表面上で少なくとも１種のリガンドに結合することができる少なくとも１種の分析物に関してサンプルを分析するための、前記固体支持体表面の使用。
【請求項２８】
請求項２２〜２６のいずれか一項に記載の方法で製造された固体支持体表面上での、少なくとも１種の分析物と少なくとも１種のリガンドとの相互作用を研究するための、前記固体支持体表面の使用。
【発明の詳細な説明】
【技術分野】
【０００１】
本発明は、固体支持体表面の製造、より特定には、標的分子を固体支持体表面に固定する方法に関する。本発明はまた、センサー表面をセンシタイズする方法、分析物を分析するためのセンシタイズされたセンサー表面の使用、および、前記方法を実行するための試薬キットに関する。
【背景技術】
【０００２】
特に生体分子の検出および相互作用に向けられた分析という観点で、分子間の相互作用を特徴付けるために様々な分析技術が用いられている。例えば、生物学、免疫学および薬理学などの多くの分野で、抗体−抗原相互作用が基本的に重要である。この観点で、多くの分析技術は、抗体のような「リガンド」を、固体支持体に結合させること、続いて、リガンドと抗原のような「分析物」とを接触させることを含む。リガンドと分析物とを接触させた後、相互作用（例えば分析物に結合するリガンドの能力）を示すいくつかの特徴が測定される。場合によっては、相互作用の測定の後に、遊離のリガンドを「再生」させるために、リガンド−分析物対を解離させ、それによってさらなる分析測定にリガンド表面を再利用できるようにすることが望ましい。
【０００３】
リガンドを支持体に結合または固定化させることは、直接または間接的のいずれかが可能である。直接的な固定化において、リガンドは、典型的には共有結合で表面に直接的にカップリングされるが、間接的な固定化において、リガンドは、典型的には共有結合で表面に直接的にカップリングされる分子によって捕獲される（通常は非共有結合によって）。間接的な固定化は、表面にカップリングされる分子に適した結合部位またはタグを有するリガンドに限定されるが、間接的な固定化には数々の利点がある。例えば、非共有結合でのリガンドの固定化は、共有結合でのカップリングより簡単に実行することができ、このようなリガンドは純粋である必要はなく、粗サンプルから捕獲することができる。さらに、表面上で、全てのリガンドが予めわかっている一致した方向で固定される。通常、表面上で捕獲を繰り返し行うことができるように、一般的な再生条件でリガンド表面を再生することも可能である。典型的なキャプチャー分子としては、プロテインＡおよびプロテインＧ（いずれも免疫グロブリン（抗体）のＦｃ部分に結合する）、ＮＴＡ金属キレート（ヒスチジンタグに結合する）、および、相補オリゴヌクレオチドタグにハイブリダイズするオリゴヌクレオチドが挙げられる。
【０００４】
オリゴヌクレオチドのキャプチャー分子としての使用（例えばＵＳ−Ａ−５,６４８,２１３により詳細に開示されている）は、オリゴヌクレオチド配列を変えることによって、極めて特異的なオリゴヌクレオチド対を簡単に作製することができるというさらなる利点を有する。従って、固体支持体上の別々の表面エリアまたはスポットに結合するキャプチャーオリゴヌクレオチドの特異性は、異なるリガンドを異なるスポットに割り当てるのに用いることができる。その他の利点は、オリゴヌクレオチドキャプチャー表面を再生するのに、例えば変性しやすいタンパク質表面に比べて比較的粗い条件を用いることができることにある。しかしながら、オリゴヌクレオチドを固体支持体に固定することにおける問題は、オリゴヌクレオチドの比較的大きい負電荷であり、そのために、それらを負電荷を有する表面に固定することを難しくしている。この問題を克服するための従来のアプローチとしては、電荷を遮るための高い塩濃度の使用、または、低いｐＨ条件などがあるが、これらは、下記の比較例で示されるように、失敗するか、または、固定化の程度が低いかのいずれかである。
【０００５】
遺伝子工学分野において、ＤＮＡを細胞に運搬するための非ウイルス性物質として、ポリカチオンが使用できることがこれまでに知られている。ポリカチオンは、負電荷を有するＤＮＡに効率的に結合するが、実質的にＤＮＡを圧縮させてしまう。また、形成された高分子電解質複合体が全体的に正電荷を有する場合、負電荷を有する細胞膜との相互作用を増加させる。形成されたＤＮＡ／高分子電解質複合体は、細胞表面と相互作用し、続いてＤＮＡは、おそらくリソソームまたはエンドソームによって細胞に吸収される。
【０００６】
また、核酸を細胞に運搬するために、正電荷を有する、中性の、および負電荷を有するリポソーム、同様に、正電荷を有するミセルも用いられており、ミセルの場合においては、ミセルの正電荷に応じて、ポリアニオン性の核酸と、細胞のポリアニオン性の表面との間で「架橋」が提供される。例えば、ＵＳ−Ａ−６,２１０,７１７は、選択された核酸を宿主細胞に運搬するための、両親媒性のポリエステル−ポリカチオンコポリマーと、両親媒性ポリエステル−糖コポリマーとを含む混合型の高分子ミセルの使用を開示している。
【発明の開示】
【発明が解決しようとする課題】
【０００７】
本発明の目的は、オリゴヌクレオチドを負電荷を有する表面に固定する際の問題を克服することである。
【課題を解決するための手段】
【０００８】
上記の、およびその他の目的および利点は、標的分子を固体支持体表面に固定する新規の方法によって提供され、ここにおいて、まず、標的分子と、小胞構造との複合体を形成し、その後、この複合体と固体支持体とを接触させ、それにより標的分子を表面に結合させる。
【０００９】
それゆえに、一形態において、本発明は、標的分子を、標的分子と相互作用することができる固体支持体表面に固定する方法を提供し、本方法は、以下の工程を含む：
標的分子と、標的分子と解離可能な複合体を形成することができる小胞構造との複合体を形成する工程、
形成された複合体と、固体支持体表面とを接触させ、標的分子を固体支持体表面に結合させ、複合体を解離させる工程、および、
固体支持体表面から小胞構造を除去し、固体支持体表面に固定された標的分子を切り離す工程。
【００１０】
複合体が固体支持体表面に結合した際、解離されない場合、その後に処理または洗浄を行ってもよい。
【００１１】
その他の形態において、本発明は、固体支持体表面をリガンドでセンシタイズする方法を提供し、本方法は、上記の第一の方法の形態に従って、リガンドを結合させることができるキャプチャー物質を固体支持体表面に固定すること、および、続いて、前記表面と前記リガンドとを接触させ、前記リガンドを固定されたキャプチャー物質に結合させることを含む。
【００１２】
さらにその他の形態において、本発明は、表面上で少なくとも１種のリガンドに結合することができる少なくとも１種の分析物に関してサンプルを分析するために、または、表面上での、少なくとも１種の分析物と少なくとも１種のリガンドとの相互作用を研究するために、上記の第一の方法の形態に従って製造された固体支持体表面の使用をそれぞれ提供する。
【００１３】
さらにその他の形態において、本発明は、上述の本発明の方法および使用を行うために用いることができる試薬キットを提供する。
【００１４】
本発明の、上記の、およびその他の形態は、添付の図面と以下の詳細な説明を参照すれば明らかになるものと予想される。
【００１５】
図面の簡単な説明
図１は、ミセル／オリゴヌクレオチド複合体の図式的な説明である。
【００１６】
定義
本発明を説明し、特許請求するにあたり、以下の用語を以下に記載の定義に従って用いるものとする。
【００１７】
「固体支持体」は、１またはそれ以上の標的化合物を固定することが望ましいあらゆる固体（軟質または硬質の）基質を意味する。このような基質は、生物学的基質、非生物学的基質、有機基質、無機基質またはそれらの組合せが可能であり、ディスク、球体、円形などあらゆる都合のよい形を有する、粒子、ストランド、沈殿物、ゲル、シート、管類、球体、コンテナー、キャピラリー、パッド、切片、フィルム、プレート、スライドなどの形態であってもよい。
【００１８】
「複合体」は、通常は弱い静電力で連結された２（またはそれ以上）の種の化学的な結合体を意味する。複合体が２つの複合体形成種に解離し得る場合、そのような複合体は解離可能である。
【００１９】
「小胞構造」は、疎水性ドメインと親水性ドメインの両方を有する両親媒性（界面活性剤）分子の組織化された構造を意味し、例えば、リポソーム、ミセルまたは逆ミセルが挙げられる。リポソームは、水性の物体を包含する脂質（通常はリン脂質）の二重層で形成された球状の小胞体であり、ミセルおよび逆ミセルは、両親媒性分子のコロイド状の凝集体であり、これらは、臨界ミセル濃度（ＣＭＣ）として知られるよく確立された濃度で（およびそれ以上の濃度で）生じる。ミセル中の凝集分子の典型的な数は、約５０〜１００個である。
【００２０】
「官能基」は、反応性を有する化学的な物体を意味する。固体支持体表面上に存在する場合、官能基は、結合物質（例えばキャプチャー物質またはリガンド）を固体支持体表面に連結させるように作用する。通常、官能基は、結合物質を固定するために活性化されている必要がある。官能基は、固体支持体に用いられる材料にもともと存在していてもよいし、または、官能基を含む適切な材料で支持体を処理またはコーティングすることによって提供されてもよい。また、官能基は、固体支持体表面と適切な化学物質とを反応させることによって導入されてもよい。
【００２１】
「活性化」は、官能基を、結合物質のカップリングを可能にする、または、結合物質のカップリングを高めるような反応性基に改変することを意味する。
【００２２】
「リガンド」は、所定の分析物に関して既知または未知の親和性を有する分子を意味する。リガンドは、天然に存在する分子でもよいし、合成された分子でもよい。リガンドは、そのままで用いてもよいし、または、その他の種との凝集体として用いてもよい。場合により、リガンドは細胞であってもよい。
【００２３】
「分析物」は、分子（例えばポリペプチドまたはポリヌクレオチドのような高分子、または、小さい分子も含む）を意味し、それらの存在、量および／または同一性が、測定が可能であり、または、例えば結合特性のようなその他の観点で特徴付けることもできる。分析物は、分析物／リガンド対を形成する特定のリガンドによって認識される。場合により、リガンドは細胞であってもよい。本発明で用いられるように、用語「分析物」はまた、分析物の類似体も含む。
【００２４】
「キャプチャー物質」は、固体支持体表面に固定され、その他の種（例えばリガンドまたは第二のキャプチャー物質）に結合することができる結合物質を意味する。
【００２５】
「特定の結合対」（略して「ｓｂｐ」）は、分子の対（それぞれ特定の結合対の要素である）を意味し、これら分子は、天然に誘導されてもよいし、または、合成によって製造されてもよい。分子の対の一方は、その表面上で、その他の分子の特定の構造（例えば空間的な極性を有する構成）に特異的に結合する（それゆえに、特定の構造に相補的であると定義される）構造（例えばエリアまたは空隙）を有し、それによって、対は、互いに特異的に結合する特性を有するようになる。特定の結合対タイプの例は、タンパク質−タンパク質、抗原−抗体、抗体−ハプテン、ビオチン−アビジン、リガンド−受容体（例えばホルモン受容体、ペプチド−受容体、酵素−受容体）、炭水化物−タンパク質、炭水化物−脂質、レクチン−炭水化物、核酸−核酸（例えば、ＰＮＡ−ＰＮＡが挙げられる；ＰＮＡ＝ペプチド核酸）、ヒスチジン残基−金属キレートである。
【００２６】
「抗体」は、免疫グロブリンを意味し、これらは、天然でもよいし、もしくは、部分的または完全に合成によって製造されてもよく、また、Ｆａｂ抗原結合フラグメント、１価のフラグメントおよび２価フラグメントなどの活性フラグメントを含む。この用語はまた、免疫グロブリン結合ドメインに相同な結合ドメインを有するあらゆるタンパク質を含む。このようなタンパク質は、天然の源から誘導してもよいし、もしくは、部分的または完全に合成によって製造されてもよい。典型的な抗体は、免疫グロブリンアイソタイプ、ならびに、Ｆａｂ、Ｆａｂ’、Ｆ（ａｂ’）2、ｓｃＦｖ、Ｆｖ、ｄＡｂ、および、Ｆｄフラグメントである。
【００２７】
「核酸」は、一本鎖または二本鎖型のいずれかの、デオキシリボヌクレオチドポリマー（ＤＮＡ）またはリボヌクレオチドポリマー（ＲＮＡ）を意味し、また、天然に存在する核酸と類似の様式で機能し得る合成によって製造された類似体を包含する。天然の核酸はリン酸主鎖を有するが、人工核酸は、その他のタイプの主鎖、ヌクレオチドまたは塩基を含んでもよい。これらとしては、例えば、以下が挙げられる：ペプチド核酸（ＰＮＡ）、これは、例えばＵＳ−Ａ−５,９４８,９０２およびそこで引用された文献で引用された文献で説明されている；ピラノシル核酸（ｐ−ＮＡ）、これは、例えばＷＯ９９／１５５４０（ｐ−ＲＮＡ）、ＷＯ９９／１５５３９（ｐ−ＲＮＡ）、および、ＷＯ００／１１０１１（ｐ−ＤＮＡ）で説明されている；ロックト核酸（ＬＮＡ）、これは、例えばＵＳ−Ａ−６,３１６,１９８で説明されている；ならびに、ホスホチオネート、および、天然の核酸のリン酸主鎖のその他の変異体。
【００２８】
「オリゴヌクレオチド」は、約５〜約１００個のヌクレオチドからなる一本鎖ヌクレオチド多量体（例えば、上記「核酸」に関して説明したような合成によって製造された類似体など）を意味する。
【００２９】
「ポリヌクレオチド」は、約１００個のヌクレオチド（例えば、上記「核酸」に関して説明したような合成によって製造された類似体など）からなる一本鎖ヌクレオチド多量体を意味する。
【００３０】
「低分子量の有機化合物」は、約１００〜約１０００、通常約２５０〜約８００の範囲の分子量を有する有機化合物を意味する。また、低分子量の化合物は、場合によっては「小分子」ともいう。
【００３１】
一般的に、「アレイ」は、不連続部位の直線状または二次元アレイを意味し、それぞれ限定されたエリアを有し、固体支持体の連続した表面上に形成され、そして１またはそれ以上の結合物質（例えばキャプチャー物質またはリガンド）を支持している。固体支持体上の核酸、タンパク質、小分子、細胞またはその他の物質の整列されたアレイは、複雑な生化学的なサンプルの平行解析を可能にする。「マイクロアレイ」において、不連続部位またはスポットの密度は、典型的には少なくとも１００／ｃｍ2であり、不連続部位の直径は、典型的には、約１０〜１０００μｍ、通常は約１０〜５００μｍの範囲であり、アレイ中のその他の領域とほぼ同じ距離で離れている。
【００３２】
「バイオセンサー」は、通常、固体状態の物理化学的な変換器と連結させた分子を認識するための成分（例えば固定化抗体を含む層）を用いるデバイスを意味する。
【００３３】
本明細書および添付の請求項において、単数形「ａ」、「ａｎ」および「ｔｈｅ」は、特に指定がない限り、複数の場合を含むものとする。また、特に他の指定がない限り、本発明で用いられた技術的および科学的な用語は、本発明に関連する当業者が一般的に理解している用語と同じ意味を有する。
【００３４】
発明の詳細な説明
上述したように、本発明は、一般的に、固体支持体表面への標的分子の固定化に関する。このような固定された標的分子を含む固体支持体は、分析および分離技術などの様々な分野で用いられる。固体支持体への標的分子の固定化は、場合によっては、分子を固体支持体表面に結合（例えば共有結合）させることを含む。通常、固体支持体は、標的分子と反応し得る反応性化学基を有する。場合によっては、標的分子は電荷を有し、固体支持体表面が対立する電荷を有する場合、標的分子は、固体支持体表面に引きつけられ、分子と固体支持体表面との相互作用を促進すると予想される。一方で、固体支持体表面が、標的分子の電荷と同種の電荷を有する場合、固定化が減じられるか、または実質的な妨害も容易に観察される。後者の例は、オリゴヌクレオチド（一般的に負電荷を有する）の負電荷を有する表面への固定化である。
【００３５】
本発明によれば、標的分子がまず、標的分子の電荷と対立する電荷を有する小胞構造と複合体を形成すれば、続いて形成された複合体が固体支持体表面と接触するので、電荷を有する標的分子（特にオリゴヌクレオチドのような高分子）は、固体支持体表面が標的分子の電荷と同種の電荷を有する場合でも、固体支持体表面に効率的に固定する可能性があることがわかった。
【００３６】
あらゆる特定の理論に限定されないが、改善された固定化効率は、標的分子が固体支持体表面に十分近づき、標的分子が固体支持体表面と相互作用することを可能とさせる、標的分子／小胞構造複合体によると推測される。言い換えると、これは、一方で、例えば正電荷を有する小胞構造が、標的分子の対立する（例えば負）電荷を少なくとも部分的に中和し、一方で、例えばオリゴヌクレオチドのような高分子の場合、小胞構造によって高分子を圧縮させることによるものと推測される。また、圧縮することにより、表面への分子の拡散を、遊離分子の拡散に比べてより迅速にする可能性もある。仮定の好ましい標的分子の圧縮に関して、標的分子／小胞構造複合体の形成はまた、それらの中性の固体支持体表面への固定化を改善する可能性がある。また、固定され得る分子間の反発力を減少することによって、より高い固定化密度が生じる。
【００３７】
本発明の概念は、一般的に、電荷を有する、または、電荷を有しない小胞構造と解離可能な複合体を形成することができるあらゆる標的分子に適用可能である。しかしながら、標的分子は、好ましくは、生体分子（合成によって製造された生体分子、および、それらの類似体も含む）、例えば核酸（例えばプラスミドも含む）、タンパク質、ポリペプチド、脂質、および、炭水化物である。生体分子のより特定の例は、オリゴヌクレオチド、ポリヌクレオチド、抗体および酵素である。標的分子はまた、低分子量の有機化合物でもよい。
【００３８】
小胞構造は、好ましくはリポソームまたはミセル、特にミセルである。リポソームまたはミセルは、混合リポソームまたは混合ミセルであってもよく、すなわち、それぞれ、２種（またはそれ以上）のリポソームおよびミセルを形成する成分を含む混合リポソームまたは混合ミセルであってもよい。
【００３９】
本発明の一実施形態において、核酸（特にヌクレオチド）は、正電荷を有するミセルまたはリポソームを用いて負電荷を有する固体支持体表面に固定される。オリゴヌクレオチド（２０−ｍｅｒ）と、正電荷を有するミセル（ＣＴＡＢ）との複合体の図式的な説明を図１に示す。
【００４０】
本発明のその他の実施形態において、負電荷を有するタンパク質（特に抗体）は、正電荷を有するミセルまたはリポソームを用いて負電荷を有する固体支持体表面に固定される。
【００４１】
本発明のさらなるその他の実施形態において、負電荷を有する低分子量の有機化合物、例えばアデノシン三リン酸（ＡＴＰ）またはニトリロ三酢酸（ＮＴＡ）は、正電荷を有するミセルまたはリポソームによって負電荷を有する固体支持体表面に固定される。
【００４２】
さらにその他の実施形態において、正電荷を有する標的分子は、負電荷を有するミセルまたはリポソームを用いて正電荷を有する固体支持体表面に固定される。
【００４３】
用いられる標的分子、および、ミセルまたはリポソームの相対量は、特に、それぞれ特定の標的分子、および、ミセルまたはリポソームに依存するが、適切な比率は、当業者によって簡単に確立することができる。一般的に、ミセルまたはリポソームに対する標的分子の比率（ミセルの数に対する標的分子の数）として、約１：３〜約３：１、好ましくは約１：２〜約２：１、特に約１：１を用いてもよい。
【００４４】
ミセルおよびリポソームの製造は当業者周知であるため、本明細書ではそれほど詳細に説明する必要はない。それらの一般的な方法の説明については、以下を参照してもよい：例えば、Ｓｚｏｋａ，Ｆ．，Ｊｒ．およびＰａｐａｈａｄｊｏｐｏｕｌｏｓ，Ｄ．，Ａｎｎｕ．Ｒｅｖ．Ｂｉｏｐｈｙｓ．Ｂｉｏｅｎｇ．９，４６７（１９８０年）；および、Ｓｃｈｗｅｎｄｅｎｅｒ，Ｒ．Ａ．，Ａｎｓａｎｇｅｒ，Ｍ．およびＷｅｄｅｒ，Ｈ．Ｇ．，Ｂｉｏｃｈｅｍ．Ｂｉｏｐｈｙｓ．Ｒｅｓ．Ｃｏｍｍｕｎ．，１００，１０５５（１９８１年）（これらの開示は、参照により本発明に加入させる）。
【００４５】
正電荷を有するミセルを製造することができる両親媒性分子または界面活性剤の例としては、臭化ドデシルトリメチルアンモニウム（ＤＴＡＢ）、臭化セチルトリメチルアンモニウム（ＣＴＡＢ）（その他の名前：臭化ヘキサデシルトリメチルアンモニウム）、塩化ベンジルジメチルヘキサデシルアンモニウム、臭化ジメチルジオクタデシルアンモニウム、臭化ドデシルエチルジメチルアンモニウム、臭化エチルヘキサデシルジメチルアンモニウム、臭化トリメチル（テトラデシル）アンモニウム、および、臭化トンゾニウムが挙げられる。
【００４６】
例えば、負電荷を有するミセルは、ドデシル硫酸ナトリウム（ＳＤＳ）から製造してもよい。
【００４７】
正電荷または負電荷を有するリポソームを製造することができる分子の例としては、ヘキサデシルジメチルアンモニウムプロパン−１−スルホネートが挙げられる。
【００４８】
通常、ミセルまたはリポソームの電荷の一部だけが標的分子によって中和されており、複合体形成後に残りの電荷が残され、複合体が対立する電荷を有する固体支持体表面と静電的に相互作用することを可能にすることが好ましい。
【００４９】
通常、標的分子と小胞構造との複合体は、自発的に形成される。次に、複合体と固体支持体とが接触すると、標的分子は、標的分子が固体支持体に固定されるように、固体支持体表面上で反応性の官能基またはその他の結合成分と相互作用する。これによって、同時に複合体の解離が起こることがある。しかしながら、通常、複合体を解離させ、小胞構造またはそれらの残留物を表面から除去するために、適切な溶液での処理または洗浄が必要であると予想される。それに必要な溶液／条件は、当業者周知のものであってもよいし、または、当業者によって容易に確立こともできる。
【００５０】
固体支持体は、好ましくは硬質の構造であり、異なる材料からなる表面層を有する基材を含んでもよい。固体支持体は粒子でもよいが、通常は、より大きい物体の表面、例えばウェルもしくはレセプタクルの内部表面、または、プレートもしくはスライドである。後者の種類の代表は、タンパク質またはＤＮＡ／ＲＮＡチップで用いられる固体支持体、バイオセンサーのようなセンサーデバイスにおけるセンシング表面である。
【００５１】
固体支持体の表面は、様々な材料で構成されていてもよく、このような材料としては、例えば、ポリマー、プラスチック、樹脂、多糖類、シリカまたはシリカベースの材料、炭素、金属、無機ガラス、メンブレンなどが挙げられる。適切な表面は、金属フィルム、例えば金、銀、または、アルミニウムであり、好ましくは金である。
【００５２】
標的分子を固定させるために、固体支持体表面は、標的分子と相互作用することができる基または分子を含む。このような基は、官能基でもよく、例えば、ヒドロキシ、カルボキシ、アミノ、ホルミル、ヒドラジド、カルボニル、エポキシまたはビニルであり、これらは、標的分子上で官能基と共有結合を形成してもよい。通常、表面上または標的分子上の官能基は、標的分子との反応の前に、より反応性の高い基に活性化される。例えば、アミノヌクレオチドは、表面に結合したカルボキシ基にカップリングされ、Ｎ−ヒドロキシスクシンイミドエステル基に活性化されもよい。留意すべきは、活性化された官能基を有する表面（例えば、活性化の前は負電荷を有するが、活性化後は中性）は、固定化プロセス中に、活性化された基の加水分解と競合するため負電荷になる可能性があることである。
【００５３】
あるいは、固体支持体表面は、特定の結合対の一方の要素（ｓｂｐ）を有し、特定の結合対の他方の要素は標的分子上である。オリゴヌクレオチドを固定するのに一般的に用いられるｓｂｐは、ビオチン−アビジン（または、ストレプトアビジン）である。
【００５４】
特に、バイオセンサーという観点で、フローセルにおいて本発明の方法をインサイチュで実施できるように、固体支持体表面がフローセルの一部であってもよい。バイオセンサー分野で用いられるフローセルの例は、例えばＵＳ−Ａ−５,４９２,８４０、５,５１３,２６４、および、ＷＯ９９／３６７６６（これらのうち関連する開示は、参照により本発明に加入させる）で説明されている。
【００５５】
上述したように、標的分子は、例えば、分析物が結合しているリガンド、または、リガンドを結合させることができるキャプチャー物質が可能である。あるいは、キャプチャー物質は、結合物質と結合し、順に、リガンドと結合してもよい。一つのキャプチャー物質を、一つのリガンドを表面に結合させるのに用いてもよいし、または、異なるリガンドを表面の異なる別々のエリアに結合させ、リガンドアレイを提供してもよい。あるいは、リガンドアレイは、異なるリガンドをそれぞれ別々の表面エリアに提供された特定のキャプチャー物質に選択的に結合させることによって形成することもできる。リガンドの固体支持体表面（例えばセンサー表面）への結合は、場合によっては、表面を「センシタイズすること」ともいう。
【００５６】
リガンドの例としては、これらに限定されないが、細胞膜に関するアゴニストおよびアンタゴニスト、毒素および毒物、ウイルスエピトープ、抗原性決定子、ホルモンおよびホルモン受容体、ステロイド、ペプチド、酵素、基質、補因子、薬物、レクチン、糖、オリゴヌクレオチド、オリゴ糖、タンパク質、糖タンパク質、細胞、細胞膜、細胞器官、細胞の受容体、ビタミン、ウイルスエピトープ、および、免疫グロブリン、例えばモノクローナルおよびポリクローナル抗体が挙げられる。
【００５７】
典型的なキャプチャー物質としては、核酸および抗体が挙げられ、特にオリゴヌクレオチドである。キャプチャー物質をオリゴヌクレオチドの形態で含む表面は、例えば、相補オリゴヌクレオチドタグと共役したリガンドを結合させるのに用いることができる。この方式において、異なるリガンドを表面の異なる別々のエリアに容易に固定することができる。上述したように、異なるオリゴヌクレオチドを異なる別々のエリアに固定することもでき、それにより、例えば、オリゴヌクレオチドを付したリガンドをそのようなエリアに差異的に捕獲することができる。それにより、異なるリガンド共役体を、異なるエリアに割り当てることができ、その上でさらに、キャプチャー表面を一般的な再生条件によって再生することができる。
【００５８】
通常、このようなオリゴヌクレオチドは、少なくとも６個の塩基の長さを有する。そのオリゴヌクレオチド対は、そのそれぞれの配列の少なくとも一部に完全に相補的であることがさらに好ましい。しかしながら、完全に相補的な配列が好ましい。
【００５９】
リガンド／オリゴヌクレオチド共役体（例えば抗体／オリゴヌクレオチド共役体）を製造するのに用いることができるヘテロ二官能性の物質は、当業者周知であり、当業者により容易に選択することができる。このようなヘテロ二官能性の物質の例としては、例えば、上述のＵＳ−Ａ−５,６４８,２１３（これらの開示は、参照により本発明に加入させる）を参照することができる。
【００６０】
オリゴヌクレオチド二本鎖を介して付着したリガンドを含む固体支持体表面を提供するための試薬キットは、第一のオリゴヌクレオチド（固体支持体にカップリングする機能を有する）、第二のオリゴヌクレオチド（第一のオリゴヌクレオチドに相補的で、かつ、リガンドに直接または間接的にカップリングする機能を有する）、および、界面活性剤を含んでもよい。例えば、第一および第二のオリゴヌクレオチドはいずれもアミノヌクレオチドでもよい。本キットにおいて、リガンドにカップリングされ得る（例えば共役され得る）アミノヌクレオチドは、直接的にカップリングするように製造されて提供されてもよいし、または、簡単に活性化され、活性化された基と反応する適切な機能を有するリガンドにカップリングできるような形態で提供してもよい。例えば、アミノヌクレオチドは、Ｎ−スクシンイミジル３−（２−ピリジルジチオ）プロピオネートと反応させ、続いて、３−（２−ピリジルジチオ）プロピオニル共役体を、ジチオスレイトール（ＤＴＴ）またはトリス−（２−カルボキシエチル）ホスフィン（ＴＣＥＰ）により還元することによって、間接的にチオール化されていてもよい。続いて、チオール官能基を、チオール反応性基（例えばマレイミド基）で修飾されたリガンドと反応させてもよい。後者は、例えば、スクシンイミジルトランス−４−（マレイミジルメチル）−シクロヘキサン−１−カルボキシレートを用いてアミン部位に導入してもよい。
【００６１】
本試薬キットは、使用説明書を含んでもよく、例えば、キット内容物を含むパッケージ上のラベルの形態で、または、パッケージ内に挿入する形態で含ませることが挙げられる。このような説明書には、特に、界面活性剤と水性の液体（例えば緩衝液）とを混合して小胞構造（通常はミセルまたはリポソーム）を形成する方法に関する情報を記載することができる。
【００６２】
分析の対象となり得る分析物の例としては、これらに限定されないが、細胞膜受容体に対するアゴニストおよびアンタゴニスト、毒素および毒物、ウイルスエピトープ、ホルモン（例えばアヘン剤、ステロイドなど）、ホルモン受容体、ペプチド、酵素、酵素の基質、補因子、薬物、レクチン、糖、オリゴヌクレオチド、オリゴ糖、タンパク質、および、モノクローナル抗体が挙げられる。分析物の分析は、分析物の定性または定量測定に加えて、例えば、分析物のその他の特徴付けのために、分析物とリガンドとの相互作用を研究すること、例えば、結合特性、例えば親和性および反応速度定数を決定することも含む。
【００６３】
表面上に結合した分析物の存在を検出する方法は、多種多様な検出技術から選択することができ、例えば、光度的および非光度的な検出方法、例えばマーカーに基づく技術（この場合、分析物または分析物特異的な試薬は、例えば放射標識、発色団、蛍光団、化学発光成分または遷移金属で標識される）；同様に、標識を用いない技術が挙げられる。
【００６４】
多くの用途において、分析は、バイオセンサーを用いて行われる。バイオセンサーは、様々な検出方法に基づくものが可能である。典型的には、このような方法としては、これらに限定されないが、質量検出方法、例えば圧電的、光学的、熱的−光学的方法、および、表面弾性波（ＳＡＷ）デバイス法、ならびに、電気化学法、例えば電位差、電気伝導、電流滴定およびキャパシタンス法が挙げられる。光学的な検出方法に関して、代表的な方法としては、反射光学的方法のような質量表面濃度を検出する方法が挙げられ、このような方法としては、内反射および外反射法、角度、波長または位相分解分光法、例えば楕円偏光法およびエバネッセント波分光分析（ＥＷＳ）、例えば表面プラズモン共鳴（ＳＰＲ）分光分析、ブルースター角屈折判定法、臨界角屈折判定法、漏れ全反射（ＦＴＲ）、エバネッセント波の楕円偏光法、散乱全内部反射（ＳＴＩＲ）、光導波路センサー、エバネッセント波に基づくイメージング、例えば臨界角分解イメージング、ブルースター角分解イメージング、ＳＰＲ角度分解イメージングなどが挙げられる。さらに、例えばエバネッセント蛍光（ＴＩＲＦ）およびリン光に基づく光度的方法を用いてもよく、同様に、導波管干渉計を用いてもよい。また、原子間力顕微鏡（ＡＦＲ）に基づく検出方法も挙げられる。
【００６５】
以下の実施例において、金の表面における表面プラズモン共鳴（ＳＰＲ）検出に基づくバイオセンサー機器を用いて、表面に結合したリガンドと対象の分析物との結合相互作用の「リアルタイム」解析を、表面における質量センシングによって提供した。このタイプのバイオセンサー、同様に、ＳＰＲ現象の技術的な形態の詳細な考察は、上述のＵＳ−Ａ−５,３１３,２６４を参照してもよい。バイオセンサーのセンシング表面のマトリックスコーティングに関するより詳細にな情報は、例えば、ＵＳ−Ａ−５,２４２,８２８、および、ＵＳ−Ａ−５,４３６,１６１に記載されている。加えて、バイオセンサー機器と共に用いられたバイオセンサーチップの技術的な形態の詳細な考察は、上述のＵＳ−Ａ−５,４９２,８４０を参照してもよい。（上記の特許の全開示は、参照により本発明に加入させる）。
【００６６】
以下の実施例において、説明のために本発明の様々な形態をより特定に開示するが、限定するものではない。
【実施例】
【００６７】
ビアコア（ＢＩＡＣＯＲＥ）(R)３０００機器（ビアコアＡＢ，ウプサラ，スウェーデン）を用いた。この機器において、極めて高い精密度、かつ、わずかなサンプル量で、４つの個々に検出されるフローセルを介してマイクロフルイディックシステムにサンプルとランニング緩衝液を通過させる（一つずつ、または、連続して）。センサーチップとして、共有結合したカルボキシメチルで修飾したデキストランポリマーヒドロゲルを含む金の表面を有するセンサーチップＣＭ５（ビアコアＡＢ，ウプサラ，スウェーデン）が用いられた。ランニング緩衝液は、ＨＢＳ−Ｎ［１０ｍＭのＨＥＰＥＳ（ｐＨ７．４）、および、１５０ｍＭのＮａＣｌ］（ビアコアＡＢ，ウプサラ，スウェーデン）であった。カルボキシ基によって、ヒドロゲルは陰イオンの特徴を有する。機器からのアウトプットは、「センサーグラム」であり、これは、時間の関数としての検出器の応答のプロット（「共鳴ユニット（ＲＵ）」で測定された）である。１０００ＲＵの増加は、センサー表面における約１ｎｇ／ｍｍ2の質量の増加に相当する
【００６８】
以下の２種の（相補）オリゴヌクレオチドを用いた（５’末端がアミノ基で化学修飾された）：
５’ＴＴＴ  ＣＣＴ  ＣＡＧ  ＣＡＴ  ＣＴＴ  ＡＴＣ  ＣＧ３’（「ＢＣ１」と称する）
５’ＣＧＧ  ＡＴＡ  ＡＧＡ  ＴＧＣ  ＴＧＡ  ＧＧＡ  ＡＡ３’（「ＢＣ２」と称する）
ヌクレオチド配列ＢＣ１は、Ｐｅｒｓｓｏｎ，Ｂ．等（１９９７年）Ａｎａｌ．Ｂｉｏｃｈｅｍ．２４６，３４〜４４で開示されている。
【００６９】
実施例１（比較）
高い塩濃度でのアミノで修飾されたオリゴヌクレオチドＢＣ１の固定化
センサーチップＣＭ５を、０．２ＭのＮ−エチル−Ｎ−ジメチルアミノ−プロピルカルボジイミド（ＥＤＣ）、および、５０ｍＭのＮ−ヒドロキシスクシンイミド（ＮＨＳ）によって（７または２０分間、流速５μｌ／ｍｍで）活性化し（ＥＤＣおよびＮＨＳは、ビアコアＡＢ（ウプサラ，スウェーデン）製）、デキストラン上のカルボキシル基の分画を、反応性Ｎ−ヒドロキシスクシンイミドエステル基に変換した。次に、１００μＭのアミンで修飾されたオリゴヌクレオチドＢＣ１（ＳＧＳ  ＤＮＡ，コーピング，スウェーデン、または、ＤＮＡテクノロジー（ＤＮＡ  Ｔｅｃｈｎｏｌｏｇｙ），オールボー，デンマーク）のボレート（ｂｏｒａｔｅ）８．５固定化緩衝液（ビアコアＡＢ，ウプサラ，スウェーデン）溶液を、オリゴヌクレオチドＢＣ１を表面に固定するために、１３分間、５μｌ／分で注入した。エタノールアミンを３分間、５μｌ／分で注入することによって（それにより、ヒドロキシエチルアミドによって活性化された基を置き換える）、未反応のＮ−ヒドロキシスクシンイミドエステル基を不活性化した。固定化の手順は、オリゴヌクレオチドの負電荷から遮蔽するために１〜３Ｍの高いＮａＣｌ濃度で、および、表面への迅速なカップリングを実現するために比較的高いｐＨ値７．０〜８．５で行われた。
【００７０】
それぞれ固定した後に、表面を５０ｍＭのＮａＯＨ、１ＭのＮａＣｌで１分間（流速５μｌ／分）で３回洗浄し、弱く結合したオリゴヌクレオチドを除去した。次に、３分間、流速５μｌ／分で、ＨＢＳ−ＥＰ緩衝液（ビアコアＡＢ，ウプサラ，スウェーデン）を用いて、相補的なアミノで修飾されたオリゴヌクレオチドＢＣ２、同様に、非相補オリゴヌクレオチド（ＢＣ１）を、固定されたアミノ−ヌクレオチドＢＣ１にハイブリダイズさせた。オリゴヌクレオチド濃度は、１〜１０μＭの範囲で変化させた。ハイブリダイゼーション間の表面の再生を、５０ｍＭのＮａＯＨ、１ＭのＮａＣｌを用いて１分行った。
【００７１】
結果を以下の表１に示す。
【表１】
0004457107.tif 000002
【００７２】
表からわかるように、高い塩濃度は、アミノ−オリゴヌクレオチドの表面への固定化を増加させる効果はなかった。同様に、ｐＨの変化またはＮＨＳ／ＥＤＣ活性化時間の増加も固定化に影響しなかった。
【００７３】
実施例２（比較）
塩化テトラメチルアンモニウム存在下でのアミノで修飾されたオリゴヌクレオチドＢＣ１の固定化
実施例１と同じ固定化プロトコールに従って、オリゴヌクレオチドＢＣ１をＣＭ５チップ表面に固定した［ただし、ＨＢＳ−ＥＰ（ビアコアＡＢ，ウプサラ，スウェーデン）を固定化緩衝液として用い、オリゴヌクレオチドの負電荷を遮蔽するために、ＮａＣｌの代わりに、１Ｍ、０．７５Ｍ、０．５Ｍまたは０．２５Ｍの塩化テトラメチルアンモニウム（ＴＭＡ−Ｃｌ）を用いたことを除く］。５０ｍＭのＮａＯＨ、１ＭのＮａＣｌで洗浄した後に、相補および非相補オリゴヌクレオチドとのハイブリダイゼーションを、実施例１で説明したように行った。結果を以下の表２に示す。
【００７４】
【表２】
0004457107.tif 000003
【００７５】
表からわかるように、ＴＭＡ−Ｃｌは、オリゴヌクレオチドの表面への固定化に効果を有しなかった。
【００７６】
実施例３
臭化セチルトリメチルアンモニウムミセルとの複合体を形成することによる、アミノで修飾されたオリゴヌクレオチドＢＣ１の固定化
センサーチップＣＭ５を、上記の実施例１で説明したように活性化した。次に、様々な臭化セチルトリメチルアンモニウム（ＣＴＡＢ）濃度を含む、１０〜５０μＭのアミンで修飾されたオリゴヌクレオチドＢＣ１（ＳＧＳ  ＤＮＡ，コーピング，スウェーデン、または、ＤＮＡテクノロジー，オールボー，デンマーク）の１０ｍＭのＨＥＰＥＳ（ｐＨ７．４）（ビアコアＡＢ，ウプサラ，スウェーデン）を、それらを表面に固定するために、１０分間、５μｌ／分で注入した。未反応のＮ−ヒドロキシスクシンイミドエステル基を、エタノールアミンを５μｌ／分で３分間注入することによって不活性化した。５０ｍＭのＮａＯＨ、１ＭのＮａＣｌで洗浄した後に、相補および非相補オリゴヌクレオチドとのハイブリダイゼーションを、実施例１で説明したように行った。結果を以下の表３に示す。
【００７７】
【表３】
0004457107.tif 000004
【００７８】
表からわかるように、高い固定化およびハイブリダイゼーションレベルが達成された。最も適切なＣＴＡＢ濃度は、オリゴヌクレオチドＢＣ１濃度によって変化することは明らかである。用いられた固定化緩衝液中のＣＴＡＢに関する臨界ミセル濃度（ＣＭＣ）は、０．２９ｍＭ付近のようである。平均的なＣＴＡＢのミセルは６１個の分子を含むため、表は、最適なミセル：オリゴ比が約１：１であることを示している（それぞれ、０．６０ｍＭのＣＴＡＢ／１０μＭのＢＣ１；１．５０ｍＭのＣＴＡＢ／２５μＭのＢＣ１；および、３．００ｍＭのＣＴＡＢ／５０μＭのＢＣ１）。
【００７９】
実施例４
臭化ドデシルトリメチルアンモニウムミセルとの複合体を形成することによる、アミノで修飾されたオリゴヌクレオチドＢＣ１の固定化
実施例３で説明された手順に従った（ただし、臭化ドデシルトリメチルアンモニウム（ＤＴＡＢ）を臭化セチルトリメチルアンモニウム（ＣＴＡＢ）の代わりに用いたことを除く）。非相補オリゴヌクレオチドとのハイブリダイゼーションは起こらなかった。得られた結果を以下の表４に示す。
【００８０】
【表４】
0004457107.tif 000005
【００８１】
以上から、当然のことながら、本明細書において、説明する目的で本発明の特定の実施形態を記載しているが、本発明の本質と範囲を逸脱しないで様々な改変を施すことができることが理解される。従って、本発明は、添付の請求の範囲によってのみ限定される。
【図面の簡単な説明】
【００８２】
【図１】ミセル／オリゴヌクレオチド複合体の図式的な説明である。
【図１】
0004457107.tif 000006